(57)【要約】【課題】複数の遊技台を横方向に配列した遊技の端へと紙幣を搬送する紙幣搬送装置において、遊技台に対応して設けられた投入口から投入された紙幣を、真偽の識別をし、遊技台の配列方向に延びる紙幣搬送路に合流させる装置を、簡易な構成とする。【解決手段】投入された紙幣を識別し、主搬送路７６へ送る識別用搬送路９２を設ける。投入された紙幣は、識別用搬送路９２に沿って、主搬送路７６まで単一の識別用搬送路モータ７８を駆動源として送られる。主搬送路７６は、これと識別用搬送路９２を分離する分離ガイド５４に設けられた押さえローラ１００によりへの字状に屈曲される。この屈曲され、へこんだ部分に識別用搬送路の駆動機構８１が、はまり込むように位置し、二つの搬送路７６，９２が狭い空間内に納められる。【選択図】　　　　図７
2004081626.tif 000002
【特許請求の範囲】
【請求項１】
横方向に配列された遊技台の上方の前面側に設置され、遊技台配列方向に沿って紙幣を搬送する紙幣搬送装置を構成し、前記個々の遊技台に対応して設けられた紙幣搬送ユニットであって、
前記遊技台配列方向に紙幣が搬送される搬送経路を構成する主搬送路と、
前記遊技台の前面側から投入された紙幣が送られている状態でその真偽を識別する識別部が設けられ、前記識別完了後、前記主搬送路へと当該紙幣を合流させる識別用搬送路と、
を有し、
前記主搬送路と前記識別用搬送路は、これらの一部が並行に配置され、
前記主搬送路の、前記識別用搬送路に並行に配置される部分は、この識別用搬送路反対側へ屈曲し、識別搬送路を避けている、
紙幣搬送ユニット。
【請求項２】
請求項１に記載の紙幣搬送ユニットであって、
前記識別用搬送路の、前記主搬送路と並行に配置された部分と、前記主搬送路とを納める蓋部を有し、
当該蓋部の奥行き寸法は、前記主搬送路のみ覆う部分と、前記主搬送路と前記識別用搬送路との双方を覆う部分とで、ほぼ等しい、
紙幣搬送ユニット。
【発明の詳細な説明】
【０００１】
【発明の属する技術分野】
本発明は、遊技台に対応して設けられた遊技媒体貸出装置に、遊技媒体と交換するために投入された紙幣を回収するために搬送する紙幣搬送装置に関する。
【０００２】
【従来の技術】
パチンコ店などの遊技店では、パチンコ台やスロットマシンなどの遊技台を横方向に直線状に配置して遊技島を形成しているのが一般的である。図８には、遊技台２を複数台配列した遊技島１の例が示されている。図８において、遊技台２はスロットマシンとして例示されている。遊技台２の間には、遊技台２の２台に１台の割合で、遊技媒体貸出機３が配設されている。図示するスロットマシンに対応する遊技媒体は、メダルであるので、この貸出機３はメダル貸出機である。遊技台がパチンコ台であれば、遊技媒体貸出機は、パチンコ玉貸出機となる。遊技島１には、さらに各遊技台の上方に設けられた呼び出しランプなどの遊技島設備品５およびその上方にストック箱などを置いておく玉箱収納部６が設けられている。
【０００３】
上記した遊技島１は、図示しない柱部材と水平部材により構築された支持枠体内に、上述した各遊技台２及び遊技媒体貸出機３を組み込むと共に、各遊技台２の上方に上記遊技島設備品５及びストック箱等を置いておく玉箱収納部６を配置することにより、組み立てられる。
【０００４】
一般的に遊技島に設置された遊技媒体貸出機３は、投入した紙幣を紙幣識別した後、内部の収納装置付紙幣識別装置に収納するように構成されており、遊技媒体貸出機３に投入された紙幣で満杯になった時は、遊技店の店員が遊技媒体貸出機３の前面扉を開いて内方側の収納装置付紙幣識別装置に収納された満杯になった紙幣を手作業にて回収する必要があった。
【０００５】
これに対して、紙幣の手作業による回収を排除するために昨今は、各遊技媒体貸出機３の遊技島の内部の背面側に、紙幣搬送装置を備えた遊技島が提案されており、例えば実開平４−９０３８９号公報に開示されている。
【０００６】
この遊技島においては、図９及び図１０に示すように、遊技媒体の貸出のために投入された紙幣が、各遊技媒体貸出機３の上方に設けられた紙幣投入口３ａから紙幣識別装置３ｂを介して紙幣を起立姿勢で搬送する紙幣搬送装置４により、遊技島１の端部に設けた島管理装置内に搬送し、内方側の紙幣収納装置にて、整列・収納されるようになっている。
【０００７】
このような構成の遊技島１によれば、各遊技台２に、遊技媒体貸出機３が設けられており、遊技者は、遊技台２に隣接した遊技媒体貸出機３の紙幣投入口３ａから紙幣を投入することにより、遊技媒体の貸出を受けることができるようになっている。また、店員は従来のように各遊技媒体貸出機３の内方側の収納装置付紙幣識別装置に収納された紙幣をわざわざ巡回して回収する手作業がなくなる。
【０００８】
また、特開平５−６８７４７号公報には、遊技島の遊技台上部に適用される紙幣搬送装置の例が示されている。この装置においては、遊技者が投入した紙幣の真偽をまず識別し、真正な紙幣のみ待機位置へと送り、上流から紙幣が送られてこないタイミングで、待機位置より紙幣を合流させている。
【０００９】
【発明が解決しようとする課題】
前記特開平５−６８７４７号公報の装置では、受入搬送部材、待機搬送部材から待機経路に導く各機構となっており、各機構が複雑となり、この間で紙幣詰まりが生じやすく、さらにこのような構成とするため、遊技台の上方の前面側から突出してしまい、本体部を薄くすることができなかった。
【００１０】
また、前記二つの公報の装置を、既存の遊技島に後付けで設置しようとすると、各遊技台および遊技媒体貸出機の上部を改築する必要があり、大きなコストと時間を要するという問題があった。
【００１１】
また、紙幣の搬送過程において発生した詰まりなどの不具合に迅速に対応できることが望まれていた。
【００１２】
本発明は、前述の問題点を考慮してなされたものであり、遊技者により投入された紙幣を、上流から流れてくる紙幣が通過するまで待機させることができる紙幣搬送装置において、紙幣搬送装置の厚さを薄くして、遊技台の上方の前面側に配置したとしても、遊技者側に突出しない、レイアウトの自由度を高めることを目的とする。
【００１３】
【課題を解決するための手段】
また、本発明にかかる他の紙幣搬送装置は、横方向に配列される遊技台の上方前面側に、個々の遊技台に対応して設けられた紙幣搬送ユニットにて構成される。紙幣搬送ユニットは、遊技台が配列された方向に紙幣が搬送される搬送経路を構成する主搬送経路と、投入された紙幣を前記主搬送路に送り込む識別用搬送路とを有する。識別用搬送路においては、投入された紙幣は、奥へと送られつつ、識別部によってその真偽が識別される。この場合の真偽の識別とは、あらかじめ登録された紙幣に対し、投入された紙幣が真正なものかを判定するものであり、さらに登録された紙幣が複数種ある場合は、その種類も判別するものである。真正な紙幣が、識別完了後、識別用搬送路から主搬送路へと送られる。主搬送路と識別用搬送路は、これらの一部が並行に配置され、主搬送路の、前記識別用搬送路に並行に配置される部分は、識別用搬送路が配置された反対側へ屈曲し、識別用搬送路を避けるようにしている。言い換えれば、主搬送路を屈曲させて、このへこんだ部分に識別用搬送路の一部が入り込むように構成される。これにより、二つの搬送路が並列した部分を奥行き方向に薄くすることができる。これによって、遊技台の上方の前面側に取り付けた場合であっても、前方への突出量を抑えることができる。
【００１４】
【発明の実施の形態】
以下、本発明の実施の形態（以下実施形態という）を、図面に従って説明する。図１は、本発明にかかる紙幣搬送装置が適用される遊技島１０の概略構成を示す図である。遊技島１０は、複数の遊技台１２を横方向に配列して構成される。図示する遊技台１２はスロットマシンとして示されているが、他の種類、例えばパチンコ台であってもよい。また、店内のレイアウトにより遊技台１２を図の背面側に、図示する遊技台と背中合わせとなるように配列することも可能である。各遊技台１２の間には、遊技媒体貸出機１４が配置される。また、各遊技台１２の上方の前面側には、遊技台１２の配列ピッチと略同じ長さを有する紙幣搬送ユニット１６が配置され、各紙幣搬送ユニット１６が横方向に連結されて紙幣搬送装置１８を構成している。紙幣搬送ユニット１６が配置されたさらに上方には、ストック箱を置いておく玉箱収納部２０が設けられている。
【００１５】
紙幣搬送ユニット１６は、紙幣を投入する投入部２２と、投入された紙幣を搬送する搬送部２４を含む。投入部２２に投入された紙幣は、同じ紙幣搬送ユニット１６に属する搬送部２４に送られ、さらに、この搬送部２４によって図中左隣の紙幣搬送ユニット１６に送られる。紙幣は、搬送部２４内を横長の状態、すなわち紙幣の長辺が搬送方向に一致する姿勢にて搬送される。搬送される紙幣は、遊技島１０の端（図中左端）の紙幣搬送ユニット１６においては、遊技島１０の端に設けられた島管理装置２６に重なることなく１枚ずつ送られ、ここに揃えて収容される。このとき、回収した紙幣の枚数が正確に数えられ、売り上げカウントされる。また、搬送部２４には、遊技島に関する設備品である遊技島設備品２８が設けられている。この遊技島設備品２８は、図において、呼び出しランプとして示している。前述のように、紙幣搬送ユニット１６の長さは、遊技台１２配列ピッチに略等しく、例えば投入部２２が１００ｍｍ、搬送部２４のみの部分の長さが４８０ｍｍとし、全長を５８０ｍｍとすることができる。後述するように、紙幣搬送ユニット１６は、配列ピッチに関して許容幅を有しており、これより長い遊技台の配列ピッチ（例えば６００ｍｍ）にも対応することができる。また、搬送部２４の厚さは、例えば約３０ｍｍとなっている。
【００１６】
投入部２２に起立姿勢で紙幣が投入されると、これに対応した数の遊技媒体が遊技媒体貸出機１４内部の遊技媒体払出し機（不図示）から払出し口２９に払出される。遊技媒体は、遊技台１２の種類によって異なり、スロットマシンであればメダルであり、パチンコ台であればパチンコ玉である。
【００１７】
図２は、一つの紙幣搬送ユニット１６の外観を示す斜視図である。紙幣搬送ユニット１６は、前述のように紙幣を投入する縦型の投入口３０が設けられた投入部２２と、投入された紙幣または隣接する紙幣搬送ユニット１６から送られて来た紙幣を搬送する搬送部２４を含む。図示される紙幣搬送ユニット１６の場合、紙幣は右下から左上へと向けて送られる。搬送部２４の前面には、遊技島設備品２８である呼び出しランプが取り付けられている。以下、遊技島設備品２８を呼び出しランプ２８と記して説明する。
【００１８】
図３〜６は、紙幣搬送ユニット１６の蓋部３２を開放し、内部の構造が見える状態を示した図である。また、各図においては、図３から図５へと段階的に内部機構を取り外した状態が示されている。図６は、図５と同等に内部機構を取り外し、視点を図５と異なる位置にした状態を示す図である。図５に示されるように、蓋部３２は、二つの支持具３４にて回動可能に支持されている。また、これらの支持具３４は、不図示ではあるが、ボルトなどによって遊技台の上方の前面側の幕板付近の所定位置に固定されている。
【００１９】
図３は、投入部の内部構造を覆っている投入部カバー３６を外し、更に蓋部３２を開放した状態を示している。投入部カバー３６にはキー穴３８が備えられ、ここに所定のキーを差し込んで回すことにより、投入部カバー３６内に設けられたロック機構（不図示）のロックが解除され、紙幣搬送ユニット１６より取り外すことができる。投入部カバー３６を外すと、図示するように蓋部３２を手前、下方に回動させ、搬送部２４の内部を開放することができる。呼び出しランプ２８は、蓋部３２に固定されており、蓋部３２の開放動作においても一体となって回動する。なお、上記においては手動によるキーを差し込んでのロック解除操作としたが、リモコン操作による解除操作としてもよい。
【００２０】
蓋部３２で覆われる内部には、紙幣を送る平ベルト状の駆動ベルト４０を備えた搬送駆動部４２が配置されている。また、駆動ベルト４０の下側に略平行に上方を開放したコの字型の下部案内レール４４が配置されている。蓋部３２の内側には、駆動ベルト４０に対向する位置に押さえローラ４６が、さらに蓋部３２を閉じたときに、駆動ベルト４０の上方となる位置に上部案内レール４８が配置されている。紙幣は、駆動ベルト４０と押さえローラ４６に挟まれ、駆動ベルト４０の移動により駆動されて上部および下部案内レール４８，４４により形成される主搬送路７６（図７参照）に沿って移動する。
【００２１】
投入部カバー３６の内部には、投入された紙幣を真正なものか識別し、正規のもののみ搬送路に向けて送り出す識別搬送部５０が配置されている。識別搬送部５０には、紙幣の表面に描かれた図柄を識別する光学センサ９６（図７参照）および磁気センサ９８（図７参照）が配置され、登録された紙幣の図柄による検出パターンと、投入された紙幣のパターンとを比較して不正紙幣の判定を行う。本実施形態においては、昨今流通紙幣として使用されている千円、二千円、五千円、一万円の４金種の検出パターンを内部記憶し、投入を受け付けることができ、判別可能となっている。
【００２２】
識別中の紙幣は、もしそれが不正な紙幣であれば受け付けることができないので、主搬送路７６へ送ることができない。言い換えれば、紙幣の真偽の確認が終わるまで、紙幣を主搬送路７６から分離しておく必要がある。紙幣搬送ユニット１６においては、識別中の紙幣は、前述の主搬送路７６に並行して配置された識別用搬送路９２（図７参照）内に留まるようになっており、真正なものと判断された後、上流側から送られる紙幣と重ならないタイミングで主搬送路７６へと送り出される。この新たに投入された紙幣の搬送は、識別搬送部５０内に備えられたモータ（図７参照）の駆動力により、行われる。なお、主搬送路７６と識別用搬送路９２の詳細については後述する。
【００２３】
図４は、図３の状態から、更に識別搬送部５０を取り外した状態を示している。図３、図４を比べて判るように、識別搬送部５０は、搬送駆動部４２に対して取り付けられている。識別搬送部５０の取り付けられていた位置の下側には、主搬送路モータ５２が位置し、これが駆動ベルト４０を回転させる。また、識別搬送部５０が取り付けられた位置から、ここより離れる方向に、主搬送路７６と識別用搬送路９２を分ける分離ガイド５４が設けられている。この分離ガイド５４の図面において奥側を、隣接する紙幣搬送ユニット１６から送られてくる紙幣が搬送され（主搬送路）、手前側を新たに投入された紙幣が搬送される（識別用搬送路）。
【００２４】
搬送駆動部４２の両端には、隣接する搬送駆動部４２と主搬送路７６の結合を行うためのジョイントが設けられている。図中右端には雌ジョイント５６、左端には雄ジョイント５８が設けられている。隣接する搬送駆動部４２の雌雄のジョイント５６，５８が嵌りあって主搬送路７６が連結される。また、雌雄のジョイント５６，５８が重なりの量、言い換えれば雌ジョイント５６に雄ジョイント５８を差し込む深さを調節することによって、紙幣搬送ユニット１６の配列ピッチを調整することができる。すなわち、紙幣搬送ユニット１６は、遊技台１２の配列のピッチが異なる場合でも、ある程度対応することができる。
【００２５】
図５および図６は、図４の状態から、更に搬送駆動部４２を取り外した状態を示している。また、左側に隣接する紙幣搬送ユニット１６を合わせて表示し、取り外された搬送駆動部４２は雌雄のジョイント５６，５８が取り外された状態が示されている。
【００２６】
前述のように支持具３４は、ボルトやタッピングねじなどの締結部品によって遊技台１２の上方の前面側の所定位置に固定されている。より詳しくは、支持具３４に形成された取り付け穴６０にボルトなどの締結部品を貫通させて、遊技台１２との締結を行っている。図中、その下端には、蝶番が形成されており、この蝶番片６２に蓋部３２が取り付けられている。この結果、蓋部３２は、その下辺付近を軸として回動可能に遊技台１２の上方の前面側に取り付けられ、この回動により開閉動作が達成される。支持具３４は、図示するように全体として略Ｌ字形に構成され、図中上端と、下端部において前面側に延びるＬ字の先端付近に固定片６４が設けられている。ここには、ボルトまたはタッピングねじに対応した穴が設けられており、ここに搬送駆動部４２がボルトなどにより固定される。
【００２７】
図７は、搬送駆動部４２の、二つの搬送路が並行する部分および合流する部分と、識別搬送部５０の断面を示す図である。断面は一つではなく、部分によって異なっている。この図７と、これまでの図、特に図６を用いて二つの搬送路、すなわち主搬送路７６と識別用搬送路９２について説明する。
【００２８】
主搬送路モータ５２の軸に取り付けられたピニオン６５はギア６６と噛み合っている。ギア６６にはプーリ６８が同軸に固定され、駆動ベルト４０が巻き渡されている一端の主搬送路ローラ７０にもプーリ７２が同軸に固定されている。二つのプーリ６８，７２には、伝達ベルト７４が巻き渡されており、主搬送路モータ５２は、ピニオン６５、ギア６６、伝達ベルト７４を介して駆動ベルト４０を駆動する。この駆動ベルト４０に沿った部分が主搬送路７６となる。識別搬送部５０には、識別用搬送路モータ７８が備えられ、伝達ベルト８０を介して、識別用搬送路ローラ８２に伝達される。識別用搬送路９２には、分離ガイド５４に、はまり込むように位置する駆動機構８１に、二つのローラ８４，８６が備えられている（図６参照）。ローラ８２と８４に識別用搬送路ベルト８８が、ローラ８４と８６にもう一つの識別用搬送路ベルト９０が巻き渡されている。これらの識別用搬送路ベルト８８，９０は、図示するように、互いに、ほぼ直交する方向に巻き渡されており、これらのベルトに沿った部分が識別用搬送路９２となる。識別用搬送路９２は、更に分離ガイド５４に沿って、主搬送路７６との合流点９３（次のローラの配置されている直前）まで延びている。
【００２９】
投入口３０から、識別用搬送路９２に沿って両側に、識別用搬送路ガイド９４が、識別用搬送路９２が略直角に曲がった部分の下流へと延びている。識別用搬送路９２の主搬送路７６に略直交する部分９２ａ（以下、識別用搬送路直交部分９２ａと記す）には、投入された紙幣の真偽の判定および種類の識別をするための光学センサ９６と磁気センサ９８が配置されている。これらのセンサ９６，９８は、識別用搬送路９２の図中左側のものを図に示しているが、これらの図示されたセンサの識別用搬送路９２を挟んだ反対側にも同様のセンサが配置されている。識別用搬送路モータ７８により、投入された紙幣は所定の速度で送られ、その表面に印刷された図柄や、紙幣の長さが、光学センサ９６、磁気センサ９８で検出される。これらのセンサの出力する電気信号の波形パターンによって、紙幣の真偽、種類が識別される。
【００３０】
識別用搬送路９２の、主搬送路７６と並行する部分９２ｂ（以下、識別用搬送路並行部分９２ｂと記す）は、分離ガイド５４により主搬送路７６と分離されている。分離ガイド５４には、押さえローラ１００が設けられている。この押さえローラ１００は、蓋部３２に配置された既出の押さえローラ４６より奥側に位置し、駆動ベルト４０を図示するように、ヘの字状に屈曲させている。したがって、分離ガイド５４に沿う部分において、主搬送路７６は、への字状に屈曲し、搬送部２４内で他の部分より奥側に位置する。識別搬送部５０内の駆動機構８１は、分離ガイド５４の内側にはまり込むように位置し、識別搬送部５０を取り付けた状態では、分離ガイド５４と一体となったように見える。また、駆動機構８１には、識別搬送ベルト９０が設けられており、これは識別用搬送路並行部９２ｂの略半分にわたって延びている。主搬送路７６を屈曲させて、これにより空いた空間に識別搬送部５０の駆動機構８１を位置させることによって、二つの搬送路が設けられる部分の外形寸法を奥行き方向に薄くすることができる。特に、合流点９３より下流、すなわち主搬送路７６のみ配置されている部分と、二つの搬送路７６，９２が配置されている部分の搬送部２４の厚さ、すなわち蓋部３２の厚さ（奥行きの寸法）が等しくなれば、美観上も好ましい。
【００３１】
紙幣は投入されると、識別用搬送路ベルト８８により奥に送り込まれ、その過程において真偽の判定、種別の判別が行われる。一方で、主搬送路７６の上流側、雌ジョイント５６内に配置される上流側検知センサ１１０により、当該センサ１１０の位置を紙幣が通過中であるかが検知される。この位置で紙幣が検出された時点を基準に所定の期間、投入された紙幣が主搬送路７６へ合流しないように識別用搬送路モータ７８が停止される。この合流禁止期間は、紙幣が、上流側検知センサ１１０の位置から合流点９３の位置に到達してから、通過するまでの期間が含まれるように、搬送速度などに基づきあらかじめ設定されている。投入された紙幣は、識別用搬送路モータ７８により、識別用搬送路９２内を送られるが、前記の合流禁止期間においては、合流点９３において、またはその少し手前で停止され、識別用搬送路９２内に留まり、主搬送路７６内の紙幣の通過を待つ。投入された紙幣の先端が合流点９３付近に達する時点では、紙幣の識別は終了しており、主搬送路７６に送り出されるか否かにかかわらず、遊技媒体の払い出しが行われる。このために、識別用搬送路９２の長さ、特に識別用の光学センサ９６、磁気センサ９８より下流側、合流点９３までの長さは、紙幣の識別中においては、紙幣の先端が主搬送路７６に入らない長さに決定されている。紙幣が真正なものとされれば、前記合流禁止期間が終了した後、紙幣は主搬送路７６内へ送り出される。このようにして、主搬送路７６を上流から送られてきた紙幣と、新たに投入された紙幣が、主搬送路７６内で重なることを防止している。紙幣が重ならないので、遊技島１０の端に設けられた島管理装置２６において、紙幣の計数を正確に行うことができる。また、投入された紙幣が真正なものであると判定されれば、この紙幣が待機している状態であっても、メダルなどの遊技媒体が払い出され、遊技者を待たせることがなくなる。一方、紙幣が不正なものであるとされると、識別用搬送路モータ７８は逆転し、不正紙幣を投入口３０より排出する。真偽の判定前に、紙幣の一部が主搬送路７６に送り出されてしまうと、不正と判定された後、これを投入口３０より戻すことが難しくなるので、この点からも、識別用搬送路９２の長さは、前述のように決定されている。
【００３２】
搬送ユニット１６は、紙幣の投入口３０の近傍に紙幣識別用のセンサ９６，９８を設けることによって、紙幣を投入口３０より投入している間に、紙幣の識別を始める。これによって、投入口３０から紙幣識別用のセンサ９６、９８までの経路長を紙幣の長さより十分短く、特に本実施形態では、紙幣の長辺の４分の１から３分の１程度とすることができる。そして、紙幣識別用のセンサ９６，９８の下流の搬送路は、識別対象となる紙幣の長さ（複数種が対象である場合は最長のもの）とほぼ同程度の長さが確保されている。結果として識別用搬送路９２の全長は、紙幣の長さの２倍未満、さらには、紙幣の長さよりやや長い程度（２〜３割程度長い程度）とすることができ、装置を小形とすることができる。
【００３３】
また、識別用搬送路９２の、主搬送路７６に送りだされる前の紙幣が位置する部分においては、紙幣の大部分が主搬送路７６に並行して位置するように、識別用搬送路９２が設けられている。特に、二つの搬送路７６，９２が並行する部分において、主搬送路７６は、識別用搬送路９２の反対側に突出するように屈曲されて配置されたことにより、搬送部２４の厚みを薄くすることができる。
【００３４】
また、紙幣の投入部２２は、遊技台１２の２台に一つ設けるようにしてもよい。すなわち、投入部２２を有する紙幣搬送ユニット１６と、内部構造を持たずカバーのみ同形状のダミー投入部を有する紙幣搬送ユニットを交互に並べて紙幣搬送装置を形成することもできる。
【００３５】
以上のように、紙幣搬送ユニット１６は、蓋部３２が遊技台１２の上方の前面側に支持された状態で、これを開閉することができる。蓋部３２取り外し、どこかに置く必要がないので、紙詰まりの除去などのメンテナンス作業を容易にする。蓋部３２には呼び出しランプ２８が取り付けられており、この呼び出しランプの様々な表示を制御するため、多数の配線が呼び出しランプ２８と遊技台１２の間を結んでいる。前記のように、蓋部３２を開くときに、蓋部３２は遊技台１２の上方の前面側に支持されているので、前記配線を取り外す必要がなく、紙詰まりなどに対応するメンテナンス作業を容易なものとしている。また、蓋部３２が遊技台の上方の前面側に支持された状態で、搬送駆動部４２および識別搬送部５０を取り外すことができる。この場合においても、配線の取り外しを行う必要がなく、搬送駆動部４２や識別搬送部５０のメンテナンス、修理、交換など作業を容易なものとする。
【００３６】
【発明の効果】
以上、本発明において、主搬送路と識別用搬送路が並行して配置された部分において、主搬送路を、識別用搬送路の反対側へと屈曲されることにより、識別用搬送路に係る駆動機構を配置するスペースを確保することで、装置を薄くすることができる。これにより、遊技台の上方の前面側に紙幣搬送装置を配置した場合でも、前方への突出を少なくすることができ、遊技者に圧迫感を感じさせないようにすることができる。
【図面の簡単な説明】
【図１】遊技島の概略構成を示す図である。
【図２】搬送ユニット１６の外観図である。
【図３】搬送ユニット１６の蓋部３２および投入部カバー３６を開いた状態を示す図である。
【図４】搬送ユニット１６より更に識別搬送部５０を取り外した状態を示す図である。
【図５】搬送ユニット１６より更に搬送駆動部４２を取り外した状態を示した図である。
【図６】搬送ユニット１６より、識別搬送部５０、搬送駆動部４２を取り外し、別の向きから見た状態を示し図である。
【図７】識別搬送部５０の近傍の断面図である。
【図８】従来の遊技島の概略構成を示す図である。
【図９】従来の紙幣搬送装置および遊技媒体貸出機の例を示す図である。
【図１０】図９の装置の側面図である。
【符号の説明】
１０　遊技島、１２　遊技台、１４　遊技媒体貸出機、１６　紙幣搬送ユニット、２２　投入部、２４　搬送部、２８　遊技島設備品（呼び出しランプ）、３２　蓋部、３４　支持具、４０　駆動ベルト、４２　搬送駆動部、５０　識別搬送部、５４　分離ガイド、７６　主搬送路、８８，９０　識別用搬送ベルト、９２　識別用搬送路、９６　光学センサ、９８　磁気センサ。
【図１】
2004081626.tif 000003
【図２】
2004081626.tif 000004
【図３】
2004081626.tif 000005
【図４】
2004081626.tif 000006
【図５】
2004081626.tif 000007
【図６】
2004081626.tif 000008
【図７】
2004081626.tif 000009
【図８】
2004081626.tif 000010
【図９】
2004081626.tif 000011
【図１０】
2004081626.tif 000012